Podtech/llm-jp-corpus-v4-ja_patent huggingface dataset:
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
各直立脚部が、前記直立脚部の運動方向に対してカッター角度で角度を持った順方向面と、刃先において前記順方向面と交差する上方向面とを有する遠位部分で終端する複数の前記直立脚部を担持する支持部材であって、回転軸を有する当該支持部材を含む、ロータリーシェーバーのためのカッターであって、前記上方向面は、前記ロータリーシェーバーのキャップのシェービングトラックの凹状の内面との係合のために前記運動方向に垂直な平面において凸状であるカッターにおいて、前記順方向面の少なくとも上部分は、前記刃先を含み、前記回転軸に垂直な平面において凹状であり、前記刃先は、前記回転軸に平行な平面にある、カッター。
【請求項２】
前記刃先は、前記回転軸に対して半径方向平面に延伸する、請求項１に記載のカッター。
【請求項３】
前記カッター角度は、前記運動方向に対して３５°〜７０°の間であり、好ましくは４０°〜５０°の間である、請求項１又は２に記載のカッター。
【請求項４】
前記凸状の上方向面は、第１の半径Ｒを有する円柱面であり、前記凹状の順方向面は、第２の半径ｒであって、ｒは、Ｒ＝ｒ・ｃｏｓαとなるような前記カッター角度αに依存して選択される当該半径ｒを有する円柱面である、請求項１乃至３のいずれか一項に記載のカッター。
【請求項５】
請求項１乃至４のいずれか一項に記載のカッターと、キャップとを含み、前記キャップは、前記カッターの遠位部分の前記凸状の上方向面による係合のための凹状の内面と切断される毛髪の通路のための複数のスロットとを有するシェービングトラックを含む、ロータリーシェーバーのためのカッターユニット。
【請求項６】
前記シェービングトラックは、ドーム形の上面を有する、請求項５に記載のカッターユニット。
【請求項７】
前記刃先及び少なくとも１つの前記スロットの切断面は、せん断角度で互いに対して角度を持ち、前記せん断角度は、前記少なくとも１つの前記スロットの半径範囲にわたって一定である、請求項５又は６に記載のカッターユニット。
【請求項８】
前記スロットは、前記回転軸に対して半径方向に角度がつけられている、請求項５乃至７のいずれか一項に記載のカッターユニット。
【請求項９】
前記スロットは直線であり、各スロットは、前記回転軸に平行な平面にある、請求項５乃至８のいずれか一項に記載のカッターユニット。
【請求項１０】
前記凹状の内面は、環状体の形状に従い、部分的に円形の断面を有する、請求項５乃至９のいずれか一項に記載のカッターユニット。
【請求項１１】
前記キャップは、複数の同心のシェービングトラックを有する、請求項５乃至１０のいずれか一項に記載のカッターユニット。
【請求項１２】
請求項５乃至１１のいずれか一項に記載の１つ以上のカッターユニットと、前記１つ以上のカッターユニットの前記カッターの回転を生じさせる駆動ユニットとを含むシェーバー。
【請求項１３】
２つのカッターユニットを含む、請求項１２に記載のシェーバー。
【請求項１４】
正三角形の頂点に配置された３つのカッターユニットを含む、請求項１２に記載のシェーバー。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
粘着性物品であって、
ポリマーブレンドを含む基材であって、前記ポリマーブレンドが、
少なくとも１０００グラム／モルの数平均分子量を有するポリマーであって、前記ポリマーは、ポリ（プロピレンオキサイド）又はポリ（エチレンオキサイド）とポリ（プロピレンオキサイド）のコポリマーである、ポリマーと、
熱可塑性ポリウレタン又は熱可塑性ポリエステルのうち少なくとも一方をと、を含む、基材と、
前記基材上に配置されたシリコーン接着剤と、を備え、
前記コポリマーは、最大３：１のポリ（エチレンオキサイド）とポリ（プロピレンオキサイド）の重量比を有するが、ただし前記コポリマーの数平均分子量が少なくとも１０，０００グラム／モルの場合、前記ポリ（エチレンオキサイド）とポリ（プロピレンオキサイド）の重量比は最大２：１である、粘着性物品。
【請求項２】
粘着性物品であって、
熱可塑性ポリウレタン又はポリエステルのうち少なくとも一方を含む基材と、
前記基材上に配置されたプライマー層であって、前記プライマー層がポリマーを含み、前記ポリマーが、数平均分子量が少なくとも１０００グラム／モルのポリ（プロピレンオキサイド）、数平均分子量が少なくとも１０００グラム／モルのポリ（エチレンオキサイド）と（プロピレンオキサイド）のコポリマー、又はポリ（プロピレンオキサイド）セグメント若しくは共重合されたポリ（エチレンオキサイド）と（プロピレンオキサイド）のセグメントを含む熱可塑性ポリマーである、プライマー層と、
前記プライマー層上に配置されたシリコーン接着剤と、を備え、
ポリ（エチレンオキサイド）とポリ（プロピレンオキサイド）の前記コポリマーにおいて、ポリ（エチレンオキサイド）とポリ（プロピレンオキサイド）の重量比は最大３：１であるが、ただし前記コポリマーの数平均分子量が少なくとも１０，０００グラム／モルの場合、前記ポリ（エチレンオキサイド）とポリ（プロピレンオキサイド）の重量比は最大２：１である、粘着性物品。
【請求項３】
前記シリコーン接着剤が放射線架橋されたシリコーン接着剤である、請求項１又は２に記載の粘着性物品。
【請求項４】
前記基材が、ポリエステル系又はポリエーテル系熱可塑性ポリウレタンを包含する、請求項１〜３のいずれか一項に記載の粘着性物品。
【請求項５】
前記粘着性物品が、包帯、テープ、又は創傷被覆材である、請求項１〜４のいずれか一項に記載の粘着性物品。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
加圧流体源と、
吐出口を画定するノズルと、
前記加圧流体源を前記ノズルの吐出口に流体的に接続して、該ノズルの吐出口から流体の噴霧を供給させる流体通路と、
関連するカートリッジから前記流体通路内へ１投与量の粒子を、該１投与量の粒子が前記加圧流体により前記ノズルの吐出口を経て前記噴霧へと搬送されるように放出する供給機構と、
を有し、前記粒子が歯手入れ剤を有し、
前記供給機構は前記カートリッジから前記１投与量の粒子を受け入れるスライダを有し、該スライダは前記カートリッジに対して第１位置と第２位置との間で移動可能であり、前記第１位置において前記粒子は前記スライダにより前記カートリッジから受け入れられ、前記第２位置において前記粒子は前記加圧流体により前記スライダから運び去られる、
供給装置。
【請求項２】
前記カートリッジは粒子が該カートリッジを離脱する開口を有し、該開口は前記加圧流体に接触しないように前記供給機構により閉じられる、請求項１に記載の供給装置。
【請求項３】
前記第１位置において前記スライダは前記供給機構を経る第１及び第２通路を閉じ、前記第２位置において、これら通路は前記流体通路の一部を画定する、請求項１に記載の供給装置。
【請求項４】
前記スライダはハウジングにより画定されたチャンネル内に滑動可能に収容される、請求項１ないし３の何れか一項に記載の供給装置。
【請求項５】
前記スライダは前記ハウジングと共同して空洞を画定し、該空洞は第１端において前記１投与量の粒子を受け入れるように開放しており、前記第１位置において前記ハウジングは前記空洞の第２端を閉塞し、前記ハウジングは前記第２位置において前記加圧流体が前記空洞の第２端に進入するのを可能にする開口を画定している、請求項４に記載の供給装置。
【請求項６】
前記加圧流体源を担持する本体部を更に有する、請求項１ないし５の何れか一項に記載の供給装置。
【請求項７】
前記加圧流体源が、前記流体通路における混合区域において結合されるガス源及び液体源を有する、請求項１ないし６の何れか一項に記載の供給装置。
【請求項８】
当該供給装置が、当該供給装置を、前記加圧流体を供給すると共に前記供給機構を作動させるように制御する少なくとも１つの作動機構を有する、請求項１ないし７の何れか一項に記載の供給装置。
【請求項９】
前記作動機構が、当該供給装置を前記ノズルの開口からの前記加圧流体及び粒子の噴射を脈動させるように制御する脈動機構を含む、請求項８に記載の供給装置。
【請求項１０】
前記歯手入れ剤が漂白剤を含む、請求項１ないし９の何れか一項に記載の供給装置。
【請求項１１】
前記漂白剤が殻体にカプセル封入されている、請求項１０に記載の供給装置。
【請求項１２】
前記粒子は直径が１００μｍまでの寸法を有する、請求項１ないし１１の何れか一項に記載の供給装置。
【請求項１３】
当該供給装置が、前記流体が前記流体通路へ第１流体圧で供給される第１動作モードと、前記流体が前記流体通路へ前記第１流体圧より低い第２流体圧で供給される第２動作モードとを有し、前記第１及び第２動作モードのうちの一方は、当該装置が前記１投与量の粒子を供給するために使用される場合に使用され、前記第１及び第２動作モードのうちの他方は、当該装置が前記粒子を供給するために使用されない場合に使用される、請求項１ないし１２の何れか一項に記載の供給装置。
【請求項１４】
請求項１ないし１３の何れか一項に記載の供給装置と、前記粒子を保持する前記カートリッジとを有する、供給システム。
【請求項１５】
チャンネルを画定するハウジングと、
流体通路と、
前記ハウジングにより担持されるスライダと、
を有し、前記スライダは、前記チャンネル内において、該スライダが１投与量の粒子を関連するカートリッジから受け入れる第１位置と、該１投与量の粒子が前記流体通路内に放出される第２位置との間で移動可能であり、前記ハウジングは前記チャンネルに対して第１及び第２開口を画定し、これら第１及び第２開口は前記スライダが前記第１位置にある場合に該スライダにより閉塞される一方、前記スライダが前記第２位置にある場合に前記チャンネルに対して開放され、前記スライダが前記第２位置にある場合、前記開口は前記流体通路の一部を画定すると共に前記１投与量の粒子が前記第２開口に位置される、
供給機構。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
制御性Ｔ細胞の増殖および／または集積を誘導する組成物であって、
（ａ）１種類以上のクロストリジウム類の細菌；
（ｂ）（ａ）の１種類以上の細菌の培養上清；
（ｃ）（ａ）もしくは（ｂ）に由来する１種類以上の生理活性物質；
または（ｄ）（ａ）、（ｂ）および（ｃ）のうちのいずれか２つもしくは３つの組合せ
を含む組成物。
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
クロスフロー濾過カセットへの供給を行う分配プレート（１）であって、
表面（１７）、２つの対向端壁（２１）、２つの対向側壁（２２）、フィード入口（３）及び表面に開口している複数のフィード孔（４）と流体連通であるフィード通路（２）、保持液出口（６）及び表面に開口している複数の保持液孔（７）と流体連通である保持液通路（５）、並びに２つの濾液出口（９，１０）及び表面に開口している複数の濾液孔（１１）と流体連通である濾液通路（８）を備え、
フィード通路、保持液通路及び濾液通路が片又は両側壁と本質的に平行の方向に延在し、
フィード孔が表面の第１領域に集められ、保持液孔が表面の第２領域に集められており、
濾液孔が第１及び／又は第２領域に位置し、
複数の濾液コネクター通路（１４）が、濾液出口（９，１０）に隣接する、濾液通路（８）の１つ以上の区域（１５，１６）からプレート内部に延在し、濾液コネクター通路が濾液孔と濾液通路間を流体連通にする、
クロスフロー濾過カセットへの供給を行う分配プレート（１）。
【請求項２】
フィード入口、保持液出口及び濾液出口が端壁に位置する、請求項１記載の分配プレート。
【請求項３】
濾液コネクター通路（１４）が濾液通路（８）に対して鋭角をなす、請求項１又は請求項２記載の分配プレート。
【請求項４】
１つ以上、例えば２つ以上の濾液コネクター通路が区域（１５，１６）のそれぞれを起点とする、請求項１乃至請求項３のいずれか１項記載の分配プレート。
【請求項５】
フィード孔が第１直線（１２）に沿って整列し、保持液孔が第２直線（１３）に沿って整列している、請求項１乃至請求項４のいずれか１項記載の分配プレート。
【請求項６】
濾液孔（１１）がフィード及び／又は保持液孔と第１又は第２直線の少なくとも１つに沿って整列している、請求項５記載の分配プレート。
【請求項７】
各濾液コネクター通路（１４）が２つの足を有し、孔の足（１９）が、表面（１７）に対して本質的に垂直であり、かつ濾液孔に端があり、コネクターの足（２０）が孔の足を濾液通路（８）と連結している、請求項１乃至請求項６のいずれか１項記載の分配プレート。
【請求項８】
濾液孔が円形である、請求項１乃至請求項７のいずれか１項記載の分配プレート。
【請求項９】
フィード通路、保持液通路、濾液通路及び濾液コネクター通路が、本質的に円形断面を有するか、本質的に円形断面を有するセグメントからなる、請求項１乃至請求項８のいずれか１項記載の分配プレート。
【請求項１０】
請求項１乃至請求項９のいずれか１項記載の分配プレート（３１，４１）と、１つ以上の端プレート（３２，４２）と、分配プレートの表面に対して垂直な軸に沿って分配プレートと端プレートの相対移動を可能にするように構成されているベースフレーム（３３，４３）とを備える、クロスフロー濾過カセット用ハウジング（３０，４０）。
【請求項１１】
各分配プレート（５２）のフィード入口（５１）が並列に流体連通にされており、各分配プレートの保持液出口（５３）が並列に流体連通にされており、各分配プレートの濾液出口（５４）が直列に流体連通にされている、請求項１０記載のハウジングの２つ以上の垂直スタック（５０）。
【請求項１２】
ａ）固体プレート本体を用意し、
ｂ）固体プレート本体にフィード、保持液及び濾液通路をドリル削孔し、
ｃ）プレート本体に濾液コネクター通路及びフィード及び保持液コネクター通路をドリル削孔する
工程を含む、請求項１乃至請求項９のいずれか１項記載の分配プレートの製造方法。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
内腔プロテーゼであって、
内腔内で保持されるように構成された第１の部分と、
第２の部分であって、該第２の部分に加えられる力が少なくとも部分的に前記第１の部分から切り離されるように前記第１の部分に接続される第２の部分と
を備える内腔プロテーゼ。
【請求項２】
請求項１に記載のプロテーゼであって、
前記第２の部分は、弁などのデバイスを取り付けるように構成された
プロテーゼ。
【請求項３】
請求項１または請求項２に記載のプロテーゼであって、
前記第１の部分と前記第２の部分との間のコネクタを備える
プロテーゼ。
【請求項４】
請求項３に記載のプロテーゼであって、
前記コネクタは、少なくとも１つのテザーを備える
プロテーゼ。
【請求項５】
請求項１または請求項２に記載のプロテーゼであって、
前記第１の部分および前記第２の部分は、単一の先行体から形成される
プロテーゼ。
【請求項６】
請求項５に記載のプロテーゼであって、
前記先行体は、折り畳まれて前記第１の部分および前記第２の部分を形成する１つの連続したステントを備える
プロテーゼ。
【請求項７】
請求項１ないし請求項６のいずれか一項に記載のプロテーゼであって、
前記第２の部分は、径方向に前記第１の部分の内側に向いている
プロテーゼ。
【請求項８】
請求項１ないし請求項７のいずれか一項に記載のプロテーゼであって、
前記プロテーゼは、球状領域と、近位フレア部と、骨格受入領域と、を備える
プロテーゼ。
【請求項９】
請求項８に記載のプロテーゼであって、
前記近位フレア部は、オープンメッシュ構造を有している
プロテーゼ。
【請求項１０】
請求項８または請求項９に記載のプロテーゼであって、
前記近位フレア部は、前記プロテーゼの軸線方向の移動に抵抗するように構成される
プロテーゼ。
【請求項１１】
請求項８ないし請求項１０のいずれか一項に記載のプロテーゼであって、
前記近位フレア部は、少なくとも部分的に被覆されている
プロテーゼ。
【請求項１２】
請求項１１に記載のプロテーゼであって、
前記近位フレア部は、被覆された表面領域を有している
プロテーゼ。
【請求項１３】
請求項８ないし請求項１２のいずれか一項に記載のプロテーゼであって、
前記球状領域は、部分的に被覆されている
プロテーゼ。
【請求項１４】
請求項８ないし請求項１３のいずれか一項に記載のプロテーゼであって、
前記骨格受入領域は、前記球状領域よりも固い
プロテーゼ。
【請求項１５】
請求項８ないし請求項１４のいずれか一項に記載のプロテーゼであって、
前記プロテーゼは、前記近位フレア部と前記球状領域との間に移行領域を備える
プロテーゼ。
【請求項１６】
請求項１５に記載のプロテーゼであって、
前記移行領域は、オープンメッシュ柔軟構造を有する
プロテーゼ。
【請求項１７】
請求項１ないし請求項１６のいずれか一項に記載のプロテーゼであって、
編み上げられたメッシュ構造を有する
プロテーゼ。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
患者の胃腸管を洗浄する胃腸管前処理組成物の塩味を軽減する味修正物質含有組成物であって、
前記胃腸管前処理組成物のｐＨは約３〜約６．４であり、または約３〜約６．４に調節され、
前記味修正物質含有組成物が前記患者に提供された場合の前記胃腸管前処理組成物の塩味が、前記味修正物質含有組成物が提供されなかった場合の胃腸管前処理組成物の塩味と比較して、少なくとも約２０％軽減される、味修正物質含有組成物。
【請求項２】
前記胃腸管が結腸であり、及び前記胃腸管前処理組成物が腸前処理溶液である、請求項１記載の味修正物質含有組成物。
【請求項３】
請求項１記載の味修正物質含有組成物において、前記患者に対して診察の、治療の、及び／または外科的な処置を実施する前に、前記胃腸管は洗浄されるものである、味修正物質含有組成物。
【請求項４】
請求項１記載の味修正物質含有組成物において、前記胃腸管は内視鏡検査の前に洗浄されるものである、味修正物質含有組成物。
【請求項５】
請求項４記載の味修正物質含有組成物において、前記内視鏡検査が、大腸内視鏡検査またはＳ状結腸鏡検査である、味修正物質含有組成物。
【請求項６】
請求項１記載の味修正物質含有組成物において、バリウム注腸検査、カプセル内視鏡検査、仮想結腸内視鏡検査、結腸手術、または胃腸管手術の前に、前記胃腸管は洗浄されるものである、味修正物質含有組成物。
【請求項７】
請求項１記載の味修正物質含有組成物において、前記味修正物質が、ミラクルフルーツ、ミラクルフルーツ果肉、ミラクルフルーツ果粒、ミラクルベリー、ミラクルベリー抽出物、ミラクルフルーツ錠剤、ミラクルベリー錠剤、または遺伝子改変生物により産生されたミラクリンを有するミラクリンである、味修正物質含有組成物。
【請求項８】
請求項１記載の味修正物質含有組成物において、前記味修正物質が、ソーマチン、モネリン、マビンリン、ブラゼイン、ペンタジン、クルクリン、ネオクリン、ミラクリン、及びそれらの混合物から成る群から選択されるものである、味修正物質含有組成物。
【請求項９】
請求項１記載の味修正物質含有組成物において、前記味修正物質が、カプセル剤、錠剤、丸薬、粒剤、散剤、小丸剤、固体混合物、溶液、分散体、乳剤、ペースト剤、エキス剤、または天然源からの単離物の形態で提供される、味修正物質含有組成物。
【請求項１０】
請求項１記載の味修正物質含有組成物において、前記味修正物質が、前記胃腸管前処理組成物が投与される約１分〜約１時間前に前記患者に提供される、味修正物質含有組成物。
【請求項１１】
請求項１記載の味修正物質含有組成物において、前記胃腸管前処理組成物の塩味が、少なくとも３０％軽減される、味修正物質含有組成物。
【請求項１２】
請求項１記載の味修正物質含有組成物において、前記胃腸管前処理組成物のｐＨが、前記患者に味修正物質含有組成物を提供する前または後に測定される、味修正物質含有組成物。
【請求項１３】
前記ｐＨが約４〜約６．４である、請求項１記載の味修正物質含有組成物。
【請求項１４】
請求項１記載の味修正物質含有組成物において、前記胃腸管前処理組成物のｐＨが、クエン酸、酢酸、アスコルビン酸、リン酸、リンゴ酸、コハク酸、ギ酸、フマル酸、マレイン酸、またはそれらの混合物によって調節される、味修正物質含有組成物。
【請求項１５】
請求項１記載の味修正物質含有組成物において、前記胃腸管前処理組成物のｐＨが、水酸化アンモニウム、炭酸ナトリウム、炭酸カリウム、重炭酸ナトリウム、二酸化炭素、及びそれらの混合物の群から選択される化合物によって調節される、味修正物質含有組成物。
【請求項１６】
請求項１記載の味修正物質含有組成物において、前記胃腸管前処理組成物が、カリウム塩、ナトリウム塩、カルシウム塩、アンモニウム塩、またはそれらの混合物を有するものである、味修正物質含有組成物。
【請求項１７】
請求項１記載の味修正物質含有組成物において、前記胃腸管前処理組成物が、少なくとも１つのリン酸ナトリウムを有するものである、味修正物質含有組成物。
【請求項１８】
請求項１記載の味修正物質含有組成物において、前記胃腸管前処理組成物が、塩化ナトリウム、塩化カリウム、及び重炭酸ナトリウム（炭酸水素ナトリウム）、硫酸ナトリウム、またはそれらの混合物を有するものである、味修正物質含有組成物。
【請求項１９】
請求項１記載の味修正物質含有組成物において、前記胃腸管前処理組成物が溶液であり、且つ前記胃腸管前処理組成物の容積が約０．１リットル〜約５リットルの範囲にわたるものである、味修正物質含有組成物。
【請求項２０】
請求項１記載の味修正物質含有組成物において、前記胃腸管前処理組成物がポリエチレングリコール（ＰＥＧ）を有するものである、味修正物質含有組成物。
【請求項２１】
患者の胃腸管を洗浄する胃腸管前処理組成物の塩味を軽減する方法であって、
前記胃腸管前処理組成物のｐＨを測定し、且つ必要な場合に前記ｐＨを約３〜約６．４の範囲になるように調節する工程を有し、
味修正物質が前記患者に提供された場合の前記胃腸管前処理組成物の塩味が、前記味修正物質が提供されなかった場合の胃腸管前処理組成物の塩味と比較して、少なくとも約２０％軽減される、方法。
【手続補正２】
【補正対象書類名】明細書
【補正対象項目名】００１０
【補正方法】変更
【補正の内容】
【００１０】
本発明は、胃腸管前処理組成物を快い味にするために、例えばミラクリンまたはミラクルベリーを用いる方法を提供する。本発明の効用は、結果として腸製剤全部の摂取及びよりきれいな結腸粘膜を生じる、より良い患者コンプライアンスを有することと予期される。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００７／００８２０６１号明細書
（特許文献２）  米国特許出願公開第２００９／０２５２７９６号明細書
（特許文献３）  米国特許第３，８９８，３２３号明細書
（特許文献４）  国際公開第２０１１／００７１５３号
【手続補正書】
【提出日】平成27年12月11日(2015.12.11)
【手続補正１】
【補正対象書類名】明細書
【補正対象項目名】００７７
【補正方法】変更
【補正の内容】
【００７７】
図４は、デジタル・ディスプレイ５２およびＰＣＢＡ５４の両方が省かれた、図３に示す電気機械的システムの配置を示している。図４に示すように、ドライブ・トレーン５０は、一次薬剤を含む第１のカートリッジ５８および二次薬剤を含む第２のカートリッジ６０から用量を排出するように作動する。図４でも示すように、第１および第２のカートリッジ５８、６０は、最も遠位置にあるストッパを有する空の状態で示されている。
【手続補正２】
【補正対象書類名】明細書
【補正対象項目名】００９１
【補正方法】変更
【補正の内容】
【００９１】
図５ａおよび５ｂに示すように、そのような動き検出器１０ａは、第１の独立したドライバ６６からの作動上および位置上のフィードバックを薬物送達デバイスの主制御ユニット２または制御ユニット４に提供するために利用されるため、有益になり得る。たとえば、第１の独立したドライバ６６に関して、好ましい動き検出器１０ａは、第１のモータ・ピニオン９２の使用によって達成される。この第１のピニオン９２は、第１のモータ７０の出力シャフト９４に動作可能に連結される。第１のピニオン９２は、第１の伝動配置７２の第１のギアを駆動する回転伝動部分９６を備える（たとえば図４を参照）。第１のモータ・ピニオン９２はまた、複数のフラグ９８ａ〜ｂも備える。この第１の動き検出器１０ａでは、第１のピニオン９２は、第１のフラグ９８ａおよび第２のフラグ９８ｂを備える。これらの２つのフラグ９８ａ〜ｂは、モータが駆動されたときにモータ出力シャフト９４、故に連結された第１のピニオン９２が回転するにつれて、これらが第１の光学エンコーダ９０を通り抜けるようにモータ・ピニオン９２上に位置する。
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
外陰および／または肛門の光線力学的治療のための携帯用自立型照射装置であって、外陰および／または肛門の治療部位への形状適合能を有する処置面、前記治療部位に光を向ける照射系ならびに照射系用電源を含み、前記照射系がフルエンス率５０ｍＷ／ｃｍ2以下で光を提供するようになっている装置。
【請求項２】
前記照射系が、総光量レベル１０〜２００Ｊ／ｃｍ2で照射を行うようになっている、
請求項１に記載の装置
【請求項３】
前記照射系が、３００〜８００ｎｍの範囲の波長を有するかまたはそれらのみからなる光を発するようになっている、請求項１または２に記載の装置。
【請求項４】
外陰および／または肛門に適用している間に単独操作が可能であり、前記電源が、装置と一体化しており、かつ使用の際に処置面を患者の治療部位に適用する時に装置と一緒に運ばれるようになっている、請求項１〜３のいずれかに記載の装置。
【請求項５】
可撓性のハウジングを含み、前記電源および／または他の電気部品が前記ハウジング内に封止されている、請求項１〜４のいずれかに記載の装置。
【請求項６】
前記ハウジングが、外縁に沿って互いに封止された２つの可撓層を含む、請求項５に記載の装置。
【請求項７】
前記処置面が、照射系を組み込んだ可撓性シートを含む、請求項１〜６のいずれかに記載の装置。
【請求項８】
前記照射系の発光部を包み込むシリコーン層を含み、好ましくは、前記シリコーン層が、外縁に沿って互いに封止された前記可撓層の間に位置する、請求項１〜７のいずれかに記載の装置。
【請求項９】
前記処置面が、治療部位の形状に適合するのに十分な可撓性を有し、そのため、装置を使用した際に前記治療部位と接触した状態が保たれる、請求項１〜８のいずれかに記載の装置。
【請求項１０】
患者が着用した時に前記処置面が治療部位に保持されるようになっている下着（パンティーまたはおむつを含む）を含むか、または、前記装置を前記下着に接合するための連結部を含む、請求項９に記載の装置。
【請求項１１】
光増感剤または光増感剤の前駆体を含む組成物を運搬するためのドラッグデリバリーシステムを含む、請求項１〜１０のいずれかに記載の装置。
【請求項１２】
前記組成物が、５−ＡＬＡエステル、好ましくは式（Ｉ）の５−ＡＬＡエステルおよび薬剤的に許容できるその塩からなる、請求項１１に記載の装置：
Ｒ22Ｎ−ＣＨ2ＣＯＣＨ2-ＣＨ2ＣＯ−ＯＲ1  （Ｉ）
式中、Ｒ1は置換または非置換のアルキル基を表し、Ｒ2は互いに独立して水素原子またはＲ1基を表す。
【請求項１３】
外陰および／または肛門の治療部位の光線力学的治療の方法における請求項１〜１２のいずれかに記載の装置の使用であって、
前記方法が、
光増感剤または前駆体を含む組成物を治療部位に適用すること、
装置を、装置に含まれる処置面を前記治療部位に接触させた状態で前記治療部位に配置すること、および
前記装置に設けられた照射系を用いて前記治療部位に照射することを含み、前記照射がフルエンス率５０ｍＷ／ｃｍ2以下で行われる方法。
【請求項１４】
請求項１〜１２のいずれかに記載の装置と、光増感剤または光増感剤の前駆体を含む少なくとも１種の組成物とを含むキット。
【請求項１５】
５−ＡＬＡ、５−ＡＬＡの誘導体、または、それらの薬剤的に許容できる塩を含む組成物であって、
該組成物は、請求項１〜１３のいずれかに記載の装置または請求項１４のキットによる外陰および／または肛門の治療部位の光線力学的治療の方法で用いられ、
前記方法は、
前記組成物を前記治療する部位（治療部位）に適用すること；
前記装置を前記治療部位に配置して、前記装置が有する処置面が前記治療部位に接するようにすること；
前記装置に設けられた照射系からの光で前記治療部位を照射すること；を含み、該照射がフルエンス率５０ｍＷ／ｃｍ2以下で行われる方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
基板、
前記基板に取り付けられる、及び心肺蘇生（ＣＰＲ）の胸部圧迫に関連する運動を検出するように動作可能である加速度計、
前記基板に取り付けられる、及び前記ＣＰＲの胸部圧迫に関連する力を検出するように動作可能である力センサ、
前記基板に取り付けられる、並びに前記加速度計及び前記力センサと電気通信して配される制御器、
前記基板の上に配される、及びその周縁部の周りにエッジ面を持つ視覚的出力層であり、前記制御器により制御される第１の色を持つライトを持つ半透明又は透明な視覚的出力層、並びに
前記視覚的出力層の上に配され、及び救助者の手と前記力センサとの間で連動する面を提供するよう配される上蓋
を有する心肺蘇生（ＣＰＲ）補助装置において、前記ライトは、ＣＰＲの使用において補助するために、前記視覚的出力層の前記エッジ面を照明するように動作可能である心肺蘇生補助装置。
【請求項２】
前記ライトは、前記視覚的出力層の周縁部の周りに配される複数のＬＥＤを有する、請求項１に記載の心肺蘇生補助装置。
【請求項３】
前記制御器は、所望するＣＰＲの圧迫速度で前記ライトを点滅させるように動作可能である、請求項２に記載の心肺蘇生補助装置。
【請求項４】
第２の色を持ち、及び前記視覚的出力層の周縁部の周りに配される第２の複数のＬＥＤをさらに有する請求項３に記載の心肺蘇生補助装置において、前記所望する速度が検知したＣＰＲの圧迫速度と既定した量だけ異なる場合、前記制御器は、所望するＣＰＲの圧迫速度で前記第２の複数のＬＥＤを点滅するように動作可能である、心肺蘇生補助装置。
【請求項５】
前記制御器は、所望するＣＰＲの圧迫速度に対応するサイクルを持つパターンで、前記複数のＬＥＤの各々を連続して点滅するように動作可能である、請求項２に記載の心肺蘇生補助装置。
【請求項６】
第２の色を持ち、及び前記視覚的出力層の周縁部の周りに配される第２の複数のＬＥＤをさらに有する請求項５に記載の心肺蘇生補助装置において、前記所望する速度が検知したＣＰＲの圧迫速度と既定した量だけ異なる場合、前記制御器は、前記所望するＣＰＲの圧迫速度に対応するサイクルを持つパターンで、前記第２の複数のＬＥＤの各々を連続して点滅するように動作可能である、心肺蘇生補助装置。
【請求項７】
第３の色を持ち、及び前記視覚的出力層の周縁部の周りに配される第３の複数のＬＥＤをさらに有する請求項２に記載の心肺蘇生補助装置において、前記制御器は、所望する換気の速度で前記第３の複数のＬＥＤを点滅するように動作可能である、心肺蘇生補助装置。
【請求項８】
第２の色を持つ第２のライトをさらに有する請求項１に記載の心肺蘇生補助装置において、前記制御器は、ＣＰＲの圧迫状況を感知して、この感知した状況に従って前記ライト及び前記第２のライトを選択的に制御する、心肺蘇生補助装置。
【請求項９】
前記上蓋に触覚的なフィードバックを与えるように動作可能である振動要素をさらに有する請求項８に記載の心肺蘇生補助装置において、前記制御器は、前記感知した状況に従って前記振動要素を選択的に制御する、心肺蘇生補助装置。
【請求項１０】
前記視覚的出力層の反対側にある前記基板の面に配される接着剤層であり、前記装置を患者の胸部に付着するように動作可能である接着剤層、及び
使用する前は前記接着剤層を保護するために、前記接着剤層の上に配される取り外し可能な剥離ライナー
をさらに有する請求項１に記載の心肺蘇生補助装置。
【請求項１１】
前記制御器と電気通信する配備センサをさらに有する請求項１０に記載の心肺蘇生補助装置において、前記取り外し可能な剥離ライナーは、前記配備センサと電気通信して配される導電性ストリップをさらに有し、並びに前記配備センサ及び前記導電性ストリップが切り離されるとき、前記制御器は前記装置を稼働させる、心肺蘇生補助装置。
【請求項１２】
前記剥離ライナーは、換気バリアを構成する請求項１１に記載の心肺蘇生補助装置。
【請求項１３】
前記剥離ライナー上に配されるＣＰＲ補助の図形指示をさらに有する、請求項１２に記載の心肺蘇生補助装置。
【請求項１４】
前記制御器と制御可能で通信する前記基板上に配されるワイヤレス送信機であり、Bluetooth（登録商標）送信機又はWi-Fi送信機の何れか一方をさらに有するワイヤレス送信機をさらに有する、請求項１に記載の心肺蘇生補助装置。
【請求項１５】
患者に心肺蘇生（ＣＰＲ）を施す際に補助を提供するための方法において、
ＣＰＲ補助装置の周縁部の周りに配される第１の色の複数のライト、及び感知したＣＰＲの状況に従って前記複数のライトを制御するように動作可能である制御器を持つＣＰＲ補助装置を提供するステップ、
前記患者に前記ＣＰＲ補助装置を貼り付けるステップ、並びに
前記感知したＣＰＲの状況に依存するパターンで前記複数のライトを照明するステップ
を有する方法。
【請求項１６】
前記ＣＰＲ補助装置は、第２の色の第２の複数のライトを持ち、及び第２の感知したＣＰＲの状況に依存するパターンで前記第２の複数のライトを照明するステップをさらに有する、請求項１５に記載の方法。
【請求項１７】
前記ＣＰＲ補助装置は、振動要素を持ち、及び第３の感知したＣＰＲの状況に依存して前記振動要素を稼働させるステップをさらに有する、請求項１６に記載の方法。
【請求項１８】
前記貼り付けるステップの前に、前記ＣＰＲ補助装置上の接着剤層から剥離ライナーを取り除くステップ、及び
ＣＰＲ換気バリアとして使用するために、前記剥離ライナーを患者の口に配備するステップ
をさらに有する請求項１５に記載の方法。
【請求項１９】
前記ＣＰＲ補助装置は、第３の色の第３の複数のライトを持ち、及び所望する換気の速度で前記第３の複数のライトを照明するステップをさらに有する、請求項１６に記載の方法。
【請求項２０】
前記貼り付けるステップの前に、前記ＣＰＲ補助装置上の接着剤層から剥離ライナーを取り除くステップ、
前記接着剤層から前記剥離ライナーが取り除かれたことを感知するステップ、及び
前記感知するステップに基づいて前記ＣＰＲ補助装置を稼働させるステップ
をさらに有する請求項１５に記載の方法。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
検査ボリューム内でほぼ均一な定常磁場Ｂ０を発生させるための少なくとも１つの主磁石コイルと、前記検査ボリューム内の様々な空間方向に切り替えられた傾斜磁場を発生させるための幾つかの傾斜磁場コイルであって、各傾斜磁場コイルは２つ以上のコイルセクションを含む、幾つかの傾斜磁場コイルと、前記検査ボリューム内でＲＦパルスを発生させ、且つ／又は前記検査ボリューム内に配置される患者の身体からＭＲ信号を受信するための少なくとも１つの身体ＲＦコイルと、前記ＲＦパルス及び前記切り替えられる傾斜磁場の時間的連続性を制御するための制御ユニットとを含み、各傾斜磁場コイルの前記コイルセクションを流れる電流が互いに独立に制御可能である、ＭＲ装置の検査ボリューム内のほぼ均一な主磁場Ｂ０の磁場の不均一性を補正する機能を持つＭＲ装置であって、
前記コイルセクションの各々は、直列回路とされる内部コイルセクションと外部コイルセクションとに更に分けられ、
前記ＭＲ装置は、
波形発生器の出力部が増幅器の入力部に接続され、当該増幅器の出力部が、前記内部コイルセクションに電流を流すために、前記内部コイルセクションに結合される、波形発生器及び増幅器と、
対応する前記コイルセクションの前記外部セクションを流れる電流を制御するために、対応する前記外部コイルセクションに結合される、個々の電流源と、
を含むことを特徴とする、ＭＲ装置。
【請求項２】
前記個々の電流源は、前記増幅器によって生成される交番電流から独立した前記外部コイルセクションを通る一定のオフセットとしてＤＣ電流を駆動するためのものである、請求項１に記載のＭＲ装置。
【請求項３】
前記コイルセクションが、遮蔽傾斜磁場コイルの内部コイルセクション及び外部コイルセクションである、請求項１に記載のＭＲ装置。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
流体源と、出口開口部を備えるノズルアセンブリと、歯の洗浄のための前記出口開口部を通って一連の液体バーストを供給するための液体バースト生成システムとを有する液体バーストシステムを中に含む器具筺体と、
オーラルケア器具へのユーザーの動作により決定された、前記出口開口部を通る前記液体バーストの供給の自動シーケンス及びタイミングを確立するための制御装置と、
を有し、
液体バーストの前記自動シーケンスを確立するための前記制御装置は、学習モードを開始し、ユーザーによる前記液体バーストの所望のシーケンス及びタイミングを確立し、前記オーラルケア器具上の選択された部材をユーザが操作することに応えて前記オーラルケア器具の操作について前記所望のシーケンスを実行するため、前記所望のシーケンスを格納する、
オーラルケア器具。
【請求項２】
前記オーラルケア器具は、ユーザーにより決定されたシーケンスを確立するための学習モードにあることと、その後前記オーラルケア器具は、ユーザーにより確立された前記所望のシーケンスを格納したこととをユーザーに伝える視覚又は聴覚インジケータを含む、請求項１に記載のオーラルケア器具。
【請求項３】
前記オーラルケア器具は、電源ボタンを含み、前記学習モードは、選択された時間の間前記電源ボタンを操作することにより開始される、請求項１に記載のオーラルケア器具。
【請求項４】
前記電源ボタンが操作され、将来の操作のための前記所望のシーケンスを格納するため、選択された時間の間、操作の前記所望のシーケンスの確立がなされる、請求項３に記載のオーラルケア器具。
【請求項５】
前記格納されたシーケンスは、前記歯の選択された領域をカバーする複数の連続液体バースト間の選択された第１の時間間隔を第２の時間間隔と組み合わせて含み、第２の時間間隔は、連続的な複数の第１の時間間隔のそれぞれの後に発生し、口全体をカバーするのに十分に前記第１の時間間隔より長い、請求項１に記載のオーラルケア器具。
【請求項６】
前記オーラルケア器具は、前記歯を機械的に洗浄するために選択された態様で剛毛のセットを操作するための前記器具筺体内の前記液体バーストシステム及び駆動システムと組み合わせて、前記剛毛のセットを含む、請求項１に記載のオーラルケア器具。
【請求項７】
請求項１、３乃至６のいずれか一項に記載のオーラルケア器具の操作をプログラミングする方法であって、
液体バーストの時間的シーケンスのための学習モードステップを開始するステップと、
連続的な液体のバースト間の選択された間隔を含む操作の所望の時間的シーケンスで前記オーラルケア器具を操作するステップと、
将来の操作において前記オーラルケア器具が前記所望の時間シーケンスで動作するように、前記操作の所望の時間的シーケンスを確認するステップと、
を含む、方法。
【請求項８】
前記オーラルケア器具は、電源オン／オフボタンを有し、前記学習モードの開始、及び前記所望の時間的シーケンスの確認が、選択された態様で前記電源ボタンを操作することにより生成される、請求項７に記載の方法。
【請求項９】
前記選択された態様は時間である、請求項７に記載の方法。
【請求項１０】
前記オーラルケア器具は、前記学習モードが開始されたこと、及び前記所望の時間的シーケンスが前記オーラルケア器具の将来の操作のために格納されたことの視覚又は聴覚表示を提供する、請求項７に記載の方法。
【請求項１１】
前記学習した時間シーケンスは、前記オーラルケア器具の制御装置部分のメモリに格納される、請求項７に記載の方法。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
加圧流体源と、
吐出口を画定するノズルと、
前記加圧流体源を前記ノズルの吐出口に流体的に接続して、該ノズル吐出口から流体の噴霧を供給させる通路と、
１投与量の粒子を受入するレセプタクルであって、前記通路内に前記１投与量の粒子が前記加圧流体により前記ノズルの吐出口を経て前記噴霧へと搬送されるように配置され、前記粒子が歯手入れ剤を含むレセプタクルと、
を有する、供給装置。
【請求項２】
前記リセプタクルは前記粒子の関連するカプセルを受け入れ、前記加圧流体が前記粒子を該カプセルから搬送する、請求項１に記載の供給装置。
【請求項３】
前記カプセルは壁により接続された1対の対向する面を有し、これら面の少なくとも一方は少なくとも１つの孔を画定し、前記加圧流体は該少なくとも１つの孔を介して前記カプセルに侵入すると共に該カプセルを離脱し、該カプセルはオプションとして前記少なくとも１つの孔を前記加圧流体により破裂されるまで密閉する少なくとも１つの壊れ易い膜を有する、請求項２に記載の供給装置。
【請求項４】
前記粒子のカプセルが、複数のカプセルを保持する関連するカートリッジに格納される、請求項２又は請求項３に記載の供給装置。
【請求項５】
前記リセプタクルが前記関連するカートリッジを受け入れる、請求項４に記載の供給装置。
【請求項６】
前記加圧流体源を担持する本体部を更に有し、該本体部が前記ノズルと選択的に流体的に接続される、請求項１ないし５の何れか一項に記載の供給装置。
【請求項７】
前記加圧流体源が、前記通路における混合区域において混合されるガス源及び液体源を有する、請求項１ないし６の何れか一項に記載の供給装置。
【請求項８】
当該供給装置が、該装置を前記加圧流体及び粒子を前記ノズルの開口から供給するように制御する作動機構を有し、前記作動機構が、当該装置を前記ノズルの開口からの前記加圧流体及び粒子の噴射を脈動させるように制御する脈動機構を含む、請求項１ないし７の何れか一項に記載の供給装置。
【請求項９】
当該供給装置が、前記流体が前記流体の通路へ第１流体圧で供給される第１動作モードと、前記流体が前記流体の通路へ前記第１流体圧より低い第２流体圧で供給される第２動作モードとを有し、前記第１及び第２動作モードのうちの一方は、当該装置が前記１投与量の粒子を供給するために使用される場合に使用され、前記第１及び第２動作モードのうちの他方は、当該装置が前記粒子を供給するために使用されない場合に使用される、請求項１ないし８の何れか一項に記載の供給装置。
【請求項１０】
前記第１のノズルと交換可能な第２ノズルを更に有し、該第２ノズルは歯に対して前記加圧流体を前記粒子なしで、オプションとして一層低い流体圧で供給する、請求項１ないし９の何れか一項に記載の供給装置。
【請求項１１】
前記歯手入れ剤が歯白色化剤を有する、請求項１ないし１０の何れか一項に記載の供給装置。
【請求項１２】
請求項１ないし１１の何れか一項に記載の供給装置と、前記粒子の１投与量を保持するカプセルとを有し、前記リセプタクルが該カプセルを前記通路に位置させる、供給システム。
【請求項１３】
請求項１ないし１１の何れか一項に記載の供給装置と、複数のカプセルを保持するカートリッジとを有し、各カプセルは前記粒子の１投与量を保持し、前記カートリッジは前記通路に１つのカプセルを位置させるために前記供給装置に対して選択的に接続可能である、供給システム。
【請求項１４】
１投与量の粒子を供給装置に装填するステップであって、前記粒子が歯手入れ剤を有するステップと、
前記供給装置を、加圧流体の流れを該加圧流体の供給源から前記粒子へ流させると共に該粒子を前記供給装置のノズル吐出口へ搬送させるように作動させ、これにより前記粒子が前記装置から前記加圧流体の噴霧で放出されるようにするステップと、
を有する粒子を供給する、方法。
【請求項１５】
前記１投与量の粒子を装填するステップが、前記装置にカプセルを、オプションとして複数のカプセルを有するカートリッジから挿入するステップを有する、請求項１４に記載の方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
トレッドを備え、このトレッドが、1〜99phr(エラストマー100質量部当りの質量部)の総含有量の１種以上のジエンエラストマー；1〜99phrの総含有量の、ポリイソブチレンブロックを含む１種以上の熱可塑性エラストマー；任意構成成分としての架橋系および0〜200phrの含有量の補強用充填剤を少なくとも含む少なくとも１種のゴム組成物を含むことを特徴とするタイヤ。
【請求項２】
ポリイソブチレンブロックを含む熱可塑性エラストマーの前記含有量が、1〜80phrである、請求項１記載のタイヤ。
【請求項３】
ポリイソブチレンブロックを含む前記熱可塑性エラストマーが、前記ポリイソブチレンブロックの末端のうちの少なくとも１つの末端において、ガラス転移温度が60℃以上である熱可塑性ブロックを含む、請求項１または２記載のタイヤ。
【請求項４】
ポリイソブチレンブロックを含む前記熱可塑性エラストマーが、スチレン/イソブチレンジブロックコポリマー (“SIB”)、スチレン/イソブチレン/スチレントリブロックコポリマー (“SIBS”)およびこれらのコポリマーの混合物からなる群から選ばれる、請求項３記載のタイヤ。
【請求項５】
前記１種以上のジエンエラストマーが、本質的に不飽和のジエンエラストマーおよびこれらエラストマーの混合物からなる群から選ばれる、請求項１〜４のいずれか１項記載のタイヤ。
【請求項６】
前記１種以上のジエンエラストマーが、ポリブタジエン、合成ポリイソプレン、天然ゴム、ブタジエンコポリマー、イソプレンコポリマーおよびこれらエラストマーの混合物からなる群から選ばれる、請求項５記載のタイヤ。
【請求項７】
前記補強用充填剤の含有量が、20〜200phrである、請求項１〜６のいずれか１項記載のタイヤ。
【請求項８】
ジエンエラストマーの前記含有量が60〜90phrであり、ポリイソブチレンブロックを含む熱可塑性エラストマーの前記含有量が10〜40phrである、請求項１〜７のいずれか１項記載のタイヤ。
【請求項９】
前記トレッドのゴム組成物が、ポリイソブチレンエラストマーを含まないか、或いは15phr未満のポリイソブチレンエラストマーを含む、請求項１〜８のいずれか１項記載のタイヤ。
【手続補正書】
【提出日】平成27年12月1日(2015.12.1)
【手続補正１】
【補正対象書類名】明細書
【補正対象項目名】００６７
【補正方法】変更
【補正の内容】
【００６７】
図１及び２に示す窓枠組立体は、本開示の断熱可撓性基材を有する熱貫流値及び有しない熱貫流値を求めるよう具現化された。具現化では、厚さ０．３２センチメートル（１／８インチ）のアルミニウム枠窓組立体を想定し、左に面する外縁全てはＮＦＲＣ（Ｎａｔｉｏｎａｌ  Ｆｅｎｅｓｔｒａｔｉｏｎ  Ｒａｔｉｎｇ  Ｃｏｕｎｃｉｌ）１００−２００１  Ｅｘｔｅｒｉｏｒ、内側の右に面する縁にはポリカーボネートを選択し、黒縁は断熱性を有し、赤は枠キャビティであることを周辺条件として、ＴＨＥＲＭプログラム（Ｌａｗｒｅｎｃｅ  Ｂｅｒｋｅｌｅｙ  Ｎａｔｉｏｎａｌ  Ｌａｂｏｒａｔｏｒｉｅｓから入手可能な無料プログラム）を使用して具現化した。具現化では、フレームと連続フィルム層との間に存在する間隙を想定した。窓を封止するガスケットは、ポリイソブチレンを使用して具現化した。シミュレーションでは、アルミニウム枠を含む厚さ０．３２センチメートル（１／８インチ）の１枚の固定見晴らし窓（幅１２０センチメートル（４７．２インチ）×高さ１５０センチメートル（５９．１インチ）を想定した。ＴＨＥＲＭプログラムのアウトプットは、窓全体の熱貫流値を計算する業界標準方法であるＷｉｎｄｏｗ  ５プログラムにエクスポートされた。可撓性基材を有しない窓組立体（図１）の熱貫流値は、０．８６３ｖｓであったのに対し、窓枠を包み込む断熱可撓性基材を有する同じ窓組立体（図２）では、０．８３３であった。本発明の実施態様の一部を以下の項目［１］−［２０］に記載する。
[１]
窓組立体であって、
窓枠と、
該窓枠内の板ガラス（glazing）と、
前記窓枠に取り付けられ前記窓枠を完全に包み込む可撓性基材とを有する、窓組立体。
[２]
前記可撓性基材は、外側からの伝導／対流輻射から前記窓枠を断熱して、前記可撓性基材が存在する窓組立体の熱貫流値（U value）が前記可撓性基材を有しない同一の窓組立体よりも小さくなる、項目１に記載の窓組立体。
[３]
前記可撓性基材が、破断せずに少なくとも９０°曲がることができる、項目１に記載の窓組立体。
[４]
前記可撓性基材が多層フィルムを含む、項目１に記載の窓組立体。
[５]
前記多層フィルムが接着層、非熱伝導層、及び連続フィルム層の３層フィルムを含む、項目４に記載の窓組立体。
[６]
前記連続フィルム層が、ビニールフィルム、（メタ）アクリレートフィルム、ポリカーボネートフィルム、又はポリエステルフィルムを含む、項目５に記載の窓組立体。
[７]
前記非伝導層が、発泡層、多孔質固体層、中空の球体又はビーズを含むポリマーマトリックス、若しくはウェブを含む、項目５に記載の窓組立体。
[８]
前記可撓性基材が前記窓枠に取り付けられたフィルムを含み、前記窓枠表面と前記フィルムとの間にエアギャップが存在する、項目１に記載の窓組立体。
[９]
前記可撓性基材が、少なくとも２つの封止部材によって前記窓枠に取り付けられ、前記封止部材は単独に、接着層、テープ、又はシーラントを含む、項目８に記載の窓組立体。
[１０]
前記窓枠に隣接する壁又は天井を更に備え、前記可撓性基材が、前記板ガラス（glazing）の一部分、前記壁又は天井の一部分、若しくは両方に取り付けられる、項目１に記載の窓組立体。
[１１]
断熱窓枠を作製する方法であって、
窓枠及び該窓枠内の板ガラスを備える窓構造を用意することと、
可撓性基材を用意することと、
前記窓枠を完全に包み込むように、前記可撓性基材を前記窓枠に取り付けることと、を含む方法。
[１２]
前記可撓性基材を前記窓枠に取り付けることが、前記可撓性基材上の連続又は非連続接着層により、及び／又は少なくとも２つの封止部材によって、接着することを含む、項目１１に記載の方法。
[１３]
前記可撓性基材が、外側との伝導／対流輻射から前記窓枠を断熱して、前記可撓性基材が存在する窓組立体の熱貫流値が前記可撓性基材を有しない同一の窓組立体よりも小さくなる、項目１１に記載の方法。
[１４]
前記可撓性基材が、破断せずに少なくとも９０°曲がることができる、項目１１に記載の方法。
[１５]
前記可撓性基材が、多層フィルムを含む、項目１１に記載の方法。
[１６]
前記多層フィルムが、接着層、非熱伝導層、及び連続フィルム層の３層フィルムを含む、項目１５に記載の方法。
[１７]
前記連続フィルム層が、ビニールフィルム、（メタ）アクリレートフィルム、ポリカーボネートフィルム、又はポリエステルフィルムを含む、項目１６に記載の方法。
[１８]
前記熱非伝導層が、発泡層、多孔質固体層、中空の球体又はビーズを含むポリマーマトリックス、若しくはウェブを含む、項目１６に記載の方法。
[１９]
前記可撓性基材が、前記窓枠表面と前記フィルムとの間にエアギャップが存在するように前記窓枠に取り付けられたフィルムを含む、項目１１に記載の方法。
[２０]
前記窓枠に隣接する壁又は天井を更に含み、前記可撓性基材が、前記板ガラスの一部分、前記壁又は天井の一部分、又は両方に取り付けられる、項目１１に記載の方法。
【手続補正２】
【補正対象書類名】特許請求の範囲
【補正対象項目名】全文
【補正方法】変更
【補正の内容】
【特許請求の範囲】
【請求項１】
窓組立体であって、
窓枠と、
該窓枠内の板ガラス（glazing）と、
前記窓枠に取り付けられ前記窓枠を完全に包み込む可撓性基材とを有する、窓組立体。
【請求項２】
前記可撓性基材が多層フィルムを含む、請求項１に記載の窓組立体。
【請求項３】
前記可撓性基材が前記窓枠に取り付けられたフィルムを含み、前記窓枠表面と前記フィルムとの間にエアギャップが存在する、請求項１に記載の窓組立体。
【請求項４】
断熱窓枠を作製する方法であって、
窓枠及び該窓枠内の板ガラスを備える窓構造を用意することと、
可撓性基材を用意することと、
前記窓枠を完全に包み込むように、前記可撓性基材を前記窓枠に取り付けることと、を含む方法。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
農産物（果物）の変色の防止、軽減、または遅延に有用な組成物であって、
約０．０５％（ｗ／ｗ）−約９９．９５％（ｗ／ｗ）のアスコルビン酸カルシウムおよ
びその誘導体と、
残部としての酵素阻害剤組成物と、
を含むことを特徴とする組成物。